(57)【要約】【課題】撮影装置システムにおいて、照明部で発生する照明光の色温度を容易に設定および変更することができるようにする。【解決手段】カメラ１０は、被写体を撮影するカメラ本体１と、カメラ本体１が撮影した被写体の画像信号に対してホワイトバランス調整を行う信号処理部１５と、カメラ本体１によって撮影された画像を表示する液晶モニタ７と、色温度が変更可能な照明光を発生するストロボユニット２と、ストロボユニット２に対して色温度の設定を含む発光制御を行う発光制御部１７と、信号処理部１５におけるホワイトバランス調整の設定条件と、発光制御部１７が制御する色温度の設定条件とが操作入力可能なタッチパネル７ａと、を備え、液晶モニタ７は、ホワイトバランス調整の設定条件および色温度の設定条件に関して、設定済みの情報と、タッチパネル７ａにより操作入力される情報とを表示する設定情報表示部になっている。【選択図】図５
2015106887.tif 000002
【特許請求の範囲】
【請求項１】
被写体を撮影する撮影装置本体部と、
前記撮影装置本体部が撮影した前記被写体の画像信号に対してホワイトバランス調整を行う信号処理部と、
前記撮影装置本体部によって撮影された画像を表示する撮影画像表示部と、
色温度が変更可能な照明光を発生する照明部と、
該照明部に対して前記色温度の設定を含む発光制御を行う発光制御部と、
前記信号処理部におけるホワイトバランス調整の設定条件と、前記発光制御部が制御する前記色温度の設定条件とが操作入力可能な操作入力部と、
前記ホワイトバランス調整の設定条件および前記色温度の設定条件に関して、設定済みの情報と、前記操作入力部により操作入力される情報とを表示する設定情報表示部と、
を備える、撮影装置システム。
【請求項２】
前記設定情報表示部は、
前記ホワイトバランス調整の設定条件および前記色温度の設定条件を、それぞれの色相情報と彩度情報とが視認できるように表示する
ことを特徴とする、請求項１に記載の撮影装置システム。
【請求項３】
前記設定情報表示部は、
前記色相情報が原点回りの角度で表され、前記彩度情報が原点からの距離で表される２次元の表示空間に表示する
ことを特徴とする、請求項２に記載の撮影装置システム。
【請求項４】
前記設定情報表示部は、
前記表示空間の表示範囲を部分拡大して表示できる
ことを特徴とする、請求項３に記載の撮影装置システム。
【請求項５】
前記操作入力部は、
前記設定情報表示部の表示画面に重ね合わされたタッチパネルを有し、
前記タッチパネルの検出信号に基づいて、前記操作入力が行えるようにした
ことを特徴とする、請求項１〜４のいずれか１項に記載の撮影装置システム。
【請求項６】
前記撮影画像表示部は、
前記設定情報表示部を兼ねている
ことを特徴とする、請求項１〜５のいずれか１項に記載の撮影装置システム。
【請求項７】
前記撮影装置本体部に設けられた第１の表示デバイスと、
前記撮影装置本体部と無線通信可能に設けられた第２の表示デバイスと、
を備え、
前記撮影画像表示部は、
少なくとも前記第１の表示デバイスに設けられ、
前記設定情報表示部は、
少なくとも前記第２の表示デバイスに設けられている
ことを特徴とする、請求項１〜６のいずれか１項に記載の撮影装置システム。
【発明の詳細な説明】
【技術分野】
【０００１】
本発明は撮影装置システムに関する。
【背景技術】
【０００２】
従来、カメラなどの撮影装置の補助照明装置には、例えば、キセノン管などを用いたストロボ装置が用いられてきたが、近年では、動画撮影にも使用可能なＬＥＤを補助照明装置として用いることが提案されている。
キセノン管は色温度が約５４００Ｋであるのに対して、ＬＥＤはチップ構成によって色温度が変わるため、一般にはキセノン管の色温度とは異なる。このため、撮影を行う場合には、照明光の色温度に応じて、撮影装置のホワイトバランスを制御する必要がある。
例えば、特許文献１には、撮影距離によって、キセノン管のみによる発光と、キセノン管とＬＥＤとによるミックス光の発光とが、切り替えられるようになっているカメラにおいて、発光光の色温度に応じてホワイトバランスの設定を自動的に変える技術が記載されている。
また、ＬＥＤを用いると、補助照明光の色温度を容易に変更できるため、種々の色温度を有する照明光下の撮影においても、主たる照明光の色温度に合わせた撮影を行うことができる。
例えば、特許文献２には、異なる色の光を発生する複数の発光素子を有する発光手段を備えた照明装置において、複数の既定光源の分光特性データを保持する保持手段と、ユーザ操作に基づいて複数の既定光源の分光特性データの一つを選択する選択手段と、この選択手段によって選択された既定光源の分光特性データに基づいて発光手段の各色ごとの発光素子の発光強度を制御する制御手段とを具備する照明装置が記載されている。
【先行技術文献】
【特許文献】
【０００３】
【特許文献１】特開２００６−１５４４５８号公報
【特許文献２】特開２０１０−０２００４２号公報
【発明の概要】
【発明が解決しようとする課題】
【０００４】
しかしながら、上記のような従来技術には、以下の問題があった。
特許文献１に記載の技術では、補助照明光の発光時に、補助照明光の色温度に応じてホワイトバランスの設定が変更されるため、ホワイトバランスの設定を気にせずに撮影を行うことができるものの、補助照明光の色温度の種類は限られている。
このため、主たる照明光の色温度と、補助照明光の色温度とが乖離している場合には、補助照明光の色温度に基づいてホワイトバランス調整を行うため、主たる照明光が支配的な領域が不自然な画像になってしまうという問題がある。
これに対して、特許文献２に記載の技術では、撮影者が補助照明光の分光特性を、波長ごとの発光強度を自由に変更できるため、主照明の色温度に補助照明光の色温度を合わせれば、良好なホワイトバランスが得られる。
しかし、特許文献２では、発光強度を変更する手段が、ＲＧＢの発光強度を個別に変更する手段か、分光特性のグラフを入力する手段に限られている。このため、これらを用いた色温度の調整に関して知識を有しない撮影者は、色温度の調整が困難である。したがって、このような知識を有しない撮影者は、複数の既定光源に合わせた分光特性データを選択する手段しか用いることができず、この場合、特許文献１と同様な問題が生じる。
また、特許文献２に記載されたようなＬＥＤを用いた補助照明装置では、作画意図に応じた色味を有する照明光をカスタマイズして、被写体に照射することも考えられる。この場合、仮に補助照明光の色温度が意図に沿って調整できたとしても、最終的な撮影画像における色味は、ホワイトバランスの設定条件によって変化するため、作画意図にあった色味が得られるか容易には分からないという問題がある。
【０００５】
本発明は、上記のような問題に鑑みてなされたものであり、照明部で発生する照明光の色温度を容易に設定および変更することができる撮影装置システムを提供することを目的とする。
【課題を解決するための手段】
【０００６】
上記の課題を解決するために、本発明の態様の撮影装置システムは、被写体を撮影する撮影装置本体部と、前記撮影装置本体部が撮影した前記被写体の画像信号に対してホワイトバランス調整を行う信号処理部と、前記撮影装置本体部によって撮影された画像を表示する撮影画像表示部と、色温度が変更可能な照明光を発生する照明部と、該照明部に対して前記色温度の設定を含む発光制御を行う発光制御部と、前記信号処理部におけるホワイトバランス調整の設定条件と、前記発光制御部が制御する前記色温度の設定条件とが操作入力可能な操作入力部と、前記ホワイトバランス調整の設定条件および前記色温度の設定条件に関して、設定済みの情報と、前記操作入力部により操作入力される情報とを表示する設定情報表示部と、を備える構成とする。
【０００７】
上記撮影装置システムでは、前記設定情報表示部は、前記ホワイトバランス調整の設定条件および前記色温度の設定条件を、それぞれの色相情報と彩度情報とが視認できるように表示することが好ましい。
【０００８】
上記撮影装置システムでは、前記設定情報表示部は、前記色相情報が原点回りの角度で表され、前記彩度情報が原点からの距離で表される２次元の表示空間に表示することが好ましい。
【０００９】
上記撮影装置システムでは、前記設定情報表示部は、前記表示空間の表示範囲を部分拡大して表示できることが好ましい。
【００１０】
上記撮影装置システムでは、前記操作入力部は、前記設定情報表示部の表示画面に重ね合わされたタッチパネルを有し、前記タッチパネルの検出信号に基づいて、前記操作入力が行えるようにしたことが好ましい。
【００１１】
上記撮影装置システムは、前記撮影画像表示部は、前記設定情報表示部を兼ねていることが好ましい。
【００１２】
上記撮影装置システムは、前記撮影装置本体部に設けられた第１の表示デバイスと、前記撮影装置本体部と無線通信可能に設けられた第２の表示デバイスと、を備え、前記撮影画像表示部は、少なくとも前記第１の表示デバイスに設けられ、前記設定情報表示部は、少なくとも前記第２の表示デバイスに設けられていることが可能である。
【発明の効果】
【００１３】
本発明の撮影装置システムによれば、ホワイトバランス調整の設定情報と照明光の色温度の情報とを表示する設定情報表示部と、ホワイトバランス調整の設定情報および色温度の情報の少なくともいずれかを操作入力する操作入力部とを備えるため、照明部で発生する照明光の色温度を容易に設定および変更することができるという効果を奏する。
【図面の簡単な説明】
【００１４】
【図１】本発明の第１の実施形態の撮影装置システムの概略構成を示す模式的な斜視図である。
【図２】図１におけるＡ視図である。
【図３】本発明の第１の実施形態の撮影装置システムの照明部の光軸を含む模式的な断面図である。
【図４】本発明の第１の実施形態の撮影装置システムの照明部に用いるＬＥＤの配置構成の一例および他例を示す模式的な正面図である。
【図５】本発明の第１の実施形態の撮影装置システムの制御ユニットの機能構成を示す機能ブロック図である。
【図６】本発明の第１の実施形態の撮影装置システムの設定情報表示部に表示される色温度操作画面の一例を示す模式図、および色温度操作画面に用いる座標系の説明図である。
【図７】本発明の第１の実施形態の撮影装置システムにおける照明部の色温度設定の操作について説明する模式的な説明図である。
【図８】本発明の第１の実施形態の撮影装置システムにおける照明部の色温度設定の部分拡大操作について説明する模式的な説明図である。
【図９】本発明の第２の実施形態の撮影装置システムの制御ユニットの機能構成を示す機能ブロック図である。
【図１０】本発明の第２の実施形態の撮影装置システムの第２の表示デバイスの模式的な正面図である。
【発明を実施するための形態】
【００１５】
以下では、本発明の実施形態について添付図面を参照して説明する。すべての図面において、実施形態が異なる場合であっても、同一または相当する部材には同一の符号を付し、共通する説明は省略する。
【００１６】
［第１の実施形態］
本発明の第１の実施形態の撮影装置システムについて説明する。
図１（ａ）、（ｂ）は、本発明の第１の実施形態の撮影装置システムの概略構成を示す模式的な斜視図である。図２は、図１（ｂ）におけるＡ視図である。図３は、本発明の第１の実施形態の撮影装置システムの照明部の光軸を含む模式的な断面図である。図４（ａ）、（ｂ）は、本発明の第１の実施形態の撮影装置システムの照明部に用いるＬＥＤの配置構成の一例および他例を示す模式的な正面図である。図５は、本発明の第１の実施形態の撮影装置システムの制御ユニットの機能構成を示す機能ブロック図である。図６（ａ）は、本発明の第１の実施形態の撮影装置システムの設定情報表示部に表示される色温度操作画面の一例を示す模式図である。図６（ｂ）は、図６（ａ）における色温度操作画面に用いる座標系の説明図である。
【００１７】
図１（ａ）に示すように、本実施形態のカメラ１０（撮影装置システム）は、被写体の静止画像または動画像を撮像（撮影）する１眼レフのデジタルカメラである。カメラ１０は、色温度が変更可能な照明光を発生する照明部を備え、種々の撮影シーンや作画意図に応じて、適宜の色温度の照明光を被写体に照射することができる。
【００１８】
カメラ１０は、被写体を撮影するカメラ本体１（撮影装置本体部）と、カメラ本体１に着脱可能に設けられたストロボユニット２（照明部）とを備える。
カメラ本体１は、被写体の像を取得する撮影光学系である撮影レンズ部３と、撮影レンズ部３が装着される略直方体状の筐体１ａと、筐体１ａの内部において撮影レンズ部３の像面に配置され、撮影レンズ部３による被写体の像を撮像する撮像素子１１（図５参照）を備える。
【００１９】
筐体１ａは、矩形状の前面部１Ｆと、前面部１Ｆの長辺の一方に隣接する上面部１Ｕと、上面部１Ｕを挟んで前面部１Ｆと対向する背面部１Ｂとを有する。
前面部１Ｆの略中心部には、撮影光軸Ｏ３が前面部１Ｆの前方に延びるように、撮影レンズ部３が設けられている。撮影レンズ部３は、複数のレンズまたはレンズ群から構成される交換レンズであり、可動支持された少なくとも１つのレンズまたはレンズ群（以下、焦点位置調整レンズと称する）によって、焦点位置の調整が可能である。また、撮影レンズ部３は単焦点の撮影光学系でもよいし、ズーム光学系などの多焦点の撮影光学系でもよい。
焦点位置調整レンズは、撮影レンズ部３または筐体１ａに内蔵されたモータなどからなるレンズ駆動部１２（図５参照）によって、移動可能に保持されている。
【００２０】
上面部１Ｕを上方に向けたとき背面部２Ｂ側から見て右側の上面部１Ｕには、シャッターボタン６が配置されている。シャッターボタン６が半押しされると、後述するＡＥ制御部２１（図５参照）によってＡＥ（自動露出）動作の制御が行われ、後述する制御ユニット１３によってＡＦ（自動焦点合わせ）動作の制御が行われる。シャッターボタン６が全押しされると、ＡＥ制御部２１で決定された露出に基づいて、シャッターリリースが行われる。
【００２１】
カメラ１０を用いた標準的な撮影では、被写体に撮影レンズ部３を向けるとともに、上面部２Ｕが上向きとなるようにカメラ本体１を保持し、シャッターボタン６を下方に押下することによりシャッターリリースを行う。
以下の説明では、カメラ１０の各部の相対位置の説明を簡略化するため、特に断らない限り、カメラ１０がこのような標準的な撮影を行う際の姿勢に置かれているものとして、上（下）方向、上（下）側、上（下）端などの用語を用いる。
【００２２】
上面部１Ｕの略中央には、ペンタプリズムを内蔵する突状部１ｄに配置され、後述する放電光源部４を保持する内蔵ストロボ保持部１ｂが設けられている。
【００２３】
内蔵ストロボ保持部１ｂは、図１（ａ）に示す起立状態と、図１（ｂ）に示す格納状態とが切り替え可能となるように、図示略の回転支持部、付勢部材、およびロック機構を介して筐体１ａに固定されている。
内蔵ストロボ保持部１ｂは、起立状態では、放電光源部４の照射光軸Ｏ４が撮影光軸Ｏ３と平行になる位置にロックされ、格納状態では、起立状態から前方に倒されて放電光源部４の投光窓４ｂが下方を向いて上面部１Ｕに形成された凹部に嵌り込む位置にロックされる。
【００２４】
放電光源部４は、カメラ本体１の前方に向かう放射状の照明光を形成する照明部である。
放電光源部４の構成は、放電作用により白色光を発光するものであれば、特に限定されず、カメラ用の内蔵ストロボに用いられる周知の構成はすべて採用することができる。
本実施形態では、放電光源部４は、透明材料からなる投光窓４ｂと、投光窓４ｂの裏面側の内蔵ストロボ保持部１ｂ内に配置され、背後が図示略の反射板で囲まれ、高圧放電によって照明光を放射する図示略のキセノン管とを備える。
本実施形態に用いるキセノン管の色温度は、例えば、５４００Ｋである。
また、本実施形態では、放電光源部４は、その照射光軸Ｏ４が、撮影光軸Ｏ３と平行に延びるように配置されており、照射光軸Ｏ４と撮影光軸Ｏ３とは、上下方向に離間されている。
【００２５】
また、上面部１Ｕにおいて、突状部１ｄの背後には、ストロボユニット２をカメラ本体１内の図示略の制御手段と通信可能に接続するホットシュー１ｃと、撮影モードなど設定するモードダイヤル８ａとが設けられている。
背面部１Ｂには、図２に示すように、撮像された画像や映像を表示したり、操作に必要なＧＵＩ（グラフィカルユーザーインタフェース）からなる操作画面や入力情報を表示したりする液晶モニタ７（撮影画像表示部、設定情報表示部、操作入力部）と、液晶モニタ７に表示される操作画面上でカーソル移動や決定などの操作入力を行う十字ボタン８ｂと、カメラ１０の各種の動作モードの操作入力を行う複数の選択ボタン８ｄと、静止画撮影モード、動画撮影モード、再生モード等を切り替えたりする操作ボタン８ｃとが設けられている。
選択ボタン８ｄによって、操作入力を行う動作モードが選択されると、液晶モニタ７には、ツリー構造を有するＧＵＩ操作画面が表示され、十字ボタン８ｂを用いて、操作メニューの選択や操作入力、設定を行うことができるようになっている。
これら、モードダイヤル８ａ、十字ボタン８ｂ、選択ボタン８ｄ、操作ボタン８ｃは、カメラ１０の操作部８を構成している。
なお、カメラ１０の操作部８は、これら背面部２Ｂに設けられたボタン類には限定されず、適宜他の場所に設けられたボタン、レバー、ダイヤル、スイッチなどからなる操作部が含まれていてもよい。
【００２６】
また、本実施形態では、液晶モニタ７には、タッチパネル７ａが設けられている。このため、液晶モニタ７にＧＵＩが表示された際に、タッチパネル７ａに、例えば、指やタッチペンなどの操作媒体を接触させたり、さらにその状態からドラッグ操作等をしたりすることでタッチ操作による操作入力が可能となる。すなわち、タッチパネル７ａは、後述する本体制御部２３と通信可能に接続されており、タッチ操作による操作媒体の接触や移動を検出すると、検出出力を発生して本体制御部２３に送出する。
【００２７】
操作部８から設定可能な動作モードには、放電光源部４およびＬＥＤ光源部２Ｒ〜２Ｌの発光モードが含まれる。
また、本実施形態では、操作部８またはタッチパネル７ａからの操作入力に応じて、撮影された画像のホワイトバランス調整の設定条件と、ＬＥＤ光源部２Ｒ〜２Ｌによる照明光の色温度の設定条件とを、マニュアルで設定したり、設定済みの設定条件から変更したりすることが可能である。
【００２８】
ストロボユニット２は、図１（ａ）、（ｂ）に示すように、カメラ本体１に装着したとき上面部１Ｕの長手方向（左右方向）に沿って延びる直方体状の筐体２ａと、カメラ本体１に装着したとき前方を向く側面に配置されたＬＥＤ光源部２Ｒ、２Ｍ、２Ｌ（「２Ｒ〜２Ｌ」と略記する場合がある）と、カメラ本体１のホットシュー１ｃと着脱可能に接続するため筐体２ａの下面から突出された接続部２ｂと、ＬＥＤ光源部２Ｒ、２Ｍ、２Ｌをそれぞれ駆動するＬＥＤドライバ１９Ｒ、１９Ｍ、１９Ｌ（「１９Ｒ〜１９Ｌ」と略記する場合がある）と、ＬＥＤ電流モニタ２２とを備える。
なお、図示簡略化のため、図５では、ＬＥＤ光源部２Ｍと、これに対応するＬＥＤドライバ１９Ｍとの図示は省略している。
以下、特に断らない限りは、ストロボユニット２の接続部２ｂがカメラ本体１のホットシュー１ｃに装着されているものとして説明する。
なお、本明細書では、「ＬＥＤ」は、Light Emitting Diodeの略称であり、発光ダイオードを意味する。
【００２９】
ＬＥＤ光源部２Ｒ、２Ｍ、２Ｌは、筐体２ａの長手方向に沿って、この順に離間して配置されている。
ストロボユニット２がカメラ本体１に装着された際、ＬＥＤ光源部２Ｍの照射光軸Ｏ２Ｍは起立状態の内蔵ストロボ保持部１ｂの上方において、撮影光軸Ｏ３の真上となる位置で撮影光軸Ｏ３と平行に延ばされている。照射光軸Ｏ２Ｍ、撮影光軸Ｏ３、および起立状態の放電光源部４の照射光軸Ｏ４は、同一平面上に整列している。
また、ＬＥＤ光源部２Ｒ、２Ｌは、それぞれ前面部１Ｆに対して向かって右側、左側となる位置に設けられ、それぞれの照射光軸Ｏ２Ｒ、Ｏ２Ｌは、照射光軸Ｏ２Ｍから等距離かつ平行となるように位置している。
このように、カメラ本体１では、ＬＥＤ光源部２Ｒ、２Ｌが、撮影光軸Ｏ３から左右方向に離間した照射光軸Ｏ２Ｒ、Ｏ２Ｌを有するため、ストロボ発光時に被写体の後方に発生する影を抑制することができる。
【００３０】
ＬＥＤ光源部２Ｒ〜２Ｌの構成は、いずれも同様であるため、図３に示すＬＥＤ光源部２Ｒの例で説明する。
ＬＥＤ光源部２Ｒは、図３に示すように、筐体２ａの内部に、照明光Ｌ２Ｒを形成する発光素子部５ａと、発光素子部５ａを実装する回路基板９と、発光素子部５ａから出射される照明光Ｌ２Ｒを反射するため発光素子部５ａの側方を囲んで発光素子部５ａの前方に延ばされた反射板５ｃと、照明光Ｌ２Ｒを外部に投光するため発光素子部５ａに対向する部位において反射板５ｃの開口を覆う投光窓５ｂとを備える。
投光窓５ｂは、屈折力を有しない一定板厚の透過窓であってもよいが、例えば、フレネルレンズなどの屈折力を有する形状として、出射される照明光を適宜の範囲に集光あるいは発散できるようにしてもよい。
投光窓５ｂから出射される照明光Ｌ２Ｒは、本実施形態では、撮影光軸Ｏ３に平行な照射光軸Ｏ２Ｒを中心として、前面部１Ｆの前方に放射される。
同様にして、ＬＥＤ光源部２Ｍ、２Ｌからは、照明光Ｌ２Ｍ、Ｌ２Ｌが放射される。
【００３１】
発光素子部５ａは、図４（ａ）に示すように、回路基板９に赤色光を発光する赤色ＬＥＤ５Ｒ（ＬＥＤ）、緑色光を発光する緑色ＬＥＤ５Ｇ（ＬＥＤ）、青色光を発光する青色ＬＥＤ５Ｂ（ＬＥＤ）が、矩形状領域内に２次元格子状に配列された素子群からなり、照明光Ｌ５Ａは、これらの赤色ＬＥＤ５Ｒ、緑色ＬＥＤ５Ｇ、青色ＬＥＤ５Ｂからそれぞれ放射された光束を重ね合わせて構成される。赤色ＬＥＤ５Ｒ、緑色ＬＥＤ５Ｇ、青色ＬＥＤ５Ｂの出射光束の中心軸の向きは、いずれも回路基板９に直交する方向に揃えられている。
このため、発光素子部５ａは、赤色ＬＥＤ５Ｒ、緑色ＬＥＤ５Ｇ、青色ＬＥＤ５Ｂが配列された矩形状領域を発光領域とする擬似的な面発光光源になっている。
赤色ＬＥＤ５Ｒ、緑色ＬＥＤ５Ｇ、青色ＬＥＤ５Ｂのそれぞれの個数は、特に限定されず、それぞれ同数でもよいし、異なる個数でもよい。また、本実施形態では、互いに異なる種類同士が隣接するように配置しているが、同種のものが隣接するように配列してもよい。
赤色ＬＥＤ５Ｒ、緑色ＬＥＤ５Ｇ、青色ＬＥＤ５Ｂの発光量は、それぞれの発光量を独立に設定することが可能になっており、これらの発光量の組合せにより、種々の色温度に対応した種々の発光量の照明光Ｌ２Ｒを形成することができる。
本実施形態では、一例として、照明光Ｌ２Ｒの色温度は、例えば、色温度を２０００Ｋから１００００Ｋまで変更できるようになっている。
このように、発光素子部５ａは、照明光の色温度が変更可能な色温度可変光源になっている。
【００３２】
なお、本実施形態の発光素子部５ａに代えて、図４（ｂ）に示すような赤色ＬＥＤ５Ｒ、緑色ＬＥＤ５Ｇ、青色ＬＥＤ５Ｂがそれぞれ１個ずつ配置された発光素子部３５ａを採用することも可能である。
【００３３】
このような発光素子部５ａ、３５ａによれば、いずれもＬＥＤを用いるため、例えば、キセノン管を用いたストロボに比べると、簡素な構成となり、周辺回路構成も含めた部品点数を削減し、軽量化、小型化を図ることができる。
【００３４】
ＬＥＤドライバ１９Ｒ〜１９Ｌは、各赤色ＬＥＤ５Ｒ、緑色ＬＥＤ５Ｇ、青色ＬＥＤ５Ｂと、ＬＥＤ電流モニタ２２（図５参照）とに電気的に接続されている。
また、図示は省略するが、ＬＥＤドライバ１９Ｒ〜１９Ｌは、赤色ＬＥＤ５Ｒ、緑色ＬＥＤ５Ｇ、青色ＬＥＤ５Ｂを個別または適宜のグループごとにスイッチングする回路や、制御ユニット１３からの制御信号に基づいて発光素子部５ａの各赤色ＬＥＤ５Ｒ、緑色ＬＥＤ５Ｇ、青色ＬＥＤ５Ｂへの供給電流を制御して、それらの発光量と発光時間とを制御する駆動回路などをそれぞれの回路基板９上に備える。
また、ストロボユニット２がカメラ本体１にホットシュー１ｃを介して装着された状態では、図５に示すように、ＬＥＤドライバ１９Ｒ〜１９ＬとＬＥＤ電流モニタ２２とは、発光制御部１７にそれぞれ電気的に接続される。
これにより、ＬＥＤドライバ１９Ｒ〜１９Ｌは、それぞれが接続されたＬＥＤ光源部２Ｒ〜２Ｌの各発光素子部５ａによる照明光Ｌ２Ｒ〜Ｌ２Ｌの色温度を、それぞれ独立に、例えば、２０００Ｋから１００００Ｋまでの間で独立に変更することができる。このため、被写体の色、撮影シーンの色調、撮影意図に応じて、色温度を変更した照明光を照射することができる。
また、各発光素子部５ａは、「ストロボ発光」と「連続発光」とが可能である。
【００３５】
ここで、「ストロボ発光」とは、カメラ本体１のシャッターが開放される間に行う短時間の発光を意味しており、連続的に発光するか、パルス状に発光するかは問わない。
これに対して、「連続発光」は、発光開始信号によって発光を開始し、発光終了信号を受信するまで連続して発光することを意味し、本実施形態では、動画撮影時の照明や、静止画撮影における後述のプリ発光に用いられる。
【００３６】
ＬＥＤ電流モニタ２２は、ＬＥＤドライバ１９Ｒ〜１９Ｌから取得したＬＥＤ光源部２Ｒ〜２Ｌの各ＬＥＤに流れる電流値を後述する制御ユニット１３の発光制御部１７にフィードバックするものである。ＬＥＤ電流モニタ２２は、ＬＥＤドライバ１９Ｒ〜１９Ｌおよび発光制御部１７と通信可能に接続されている。
【００３７】
ここで、カメラ本体１の電装部の構成について説明する。
カメラ本体１の電装部は、図５に示すように、上述の撮像素子１１と、放電光源部４を発光させる発光回路２０と、制御ユニット１３と、ＡＦセンサ３０とを備える。
【００３８】
撮像素子１１は、撮影レンズ部３で撮影された像を光電変換するもので、例えば、ＣＣＤ、ＣＭＯＳ素子などを採用することができる。
【００３９】
制御ユニット１３は、撮影動作全般の制御を行うものである。例えば、操作部８またはタッチパネル７ａからの操作入力に応じてカメラ１０の各部の動作条件を設定することができる。また、操作部８、タッチパネル７ａ、またはシャッターボタン６の半押しまたは全押しの操作に応じて、ＡＦ動作、放電光源部４およびＬＥＤ光源部２Ｒ〜２Ｌの発光制御、撮像動作を行うことができる。
【００４０】
制御ユニット１３の主要部の構成は、画像取得部１４、信号処理部１５、記憶部１８、ＡＦ制御部１６、ＡＥ制御部２１、本体制御部２３、および発光制御部１７を備える。
【００４１】
画像取得部１４は、撮像素子１１で光電変換された画像信号を取得するものである。
【００４２】
信号処理部１５は、画像取得部１４が取得した画像信号に種々の信号処理を行うものであり、画像取得部１４、記憶部１８、本体制御部２３、および液晶モニタ７とそれぞれ通信可能に接続されている。
信号処理部１５が行う信号処理としては、例えば、周知のゲイン補正、ホワイトバランス調整、ガンマ補正、ノイズ低減処理、輪郭補正、圧縮処理などの、画質を調整するための各種の信号処理を挙げることができる。
信号処理部１５によって信号処理された画像信号は、液晶モニタ７に表示されるとともに、必要に応じて、画像データとして記憶部１８に記憶される。記憶部１８に記憶された画像データは、本体制御部２３を介して液晶モニタ７に送出することにより、液晶モニタ７上に表示することができる。
【００４３】
ホワイトバランス調整は、周知のデジタルカメラと同様、ホワイトバランス調整の設定条件に対応するモード設定（以下、ＷＢモード設定と称する）に基づいてホワイトバランスを調整する信号処理である。
例えば、ホワイトバランス調整の「オート」モードが設定されている場合、画像データの一部または全体から撮影シーンにおける照明光の色温度を推定し、その色温度に応じて予め決められた補正を行う。すなわち、推定された照明光の色温度において、被写体の白が自然な白に見えるように補正を行う。
また、撮影者等のユーザは、操作部８またはタッチパネル７ａから操作入力することにより、「オート」モード以外のＷＢモード設定を行うことも可能である。
他のＷＢモード設定としては、例えば、「曇天」モード、「晴天」モード、「蛍光灯」モード、「電球」モードなどの特定の照明光の色温度や分光特性を想定した設定や、ユーザが照明光の色温度を設定する「マニュアル設定」モードを挙げることができる。
これらのＷＢモード設定がなされている場合には、信号処理部１５は、それぞれが想定している照明光の色温度に応じて、予め決められたホワイトバランス調整の処理を行う。
【００４４】
また、信号処理部１５は、画像データに適宜の演算処理を施して、被写体情報を取得することが可能である。
例えば、画像データに対して周知の顔検出処理を行って、被写体における人物の有無の情報を取得することが可能である。
【００４５】
ＡＦ制御部１６は、シャッターボタン６の半押しによって開始されるＡＦ動作の制御を行うものである。本実施形態では、カメラ本体１に内蔵され、複数のＡＦターゲットを構成する複数のＡＦセンサ３０を用いて周知のＡＦ動作を行う。
すなわち、ＡＦ制御部１６は、シャッターボタン６が半押しされると、各ＡＦセンサ３０の出力から、各ＡＦターゲットの合焦状態を判定し、この合焦状態の組合せに基づいて合焦位置を算出し、撮影レンズ部３の焦点位置調整レンズの移動量を算出する。そして、この移動量に基づいてレンズ駆動部１２を駆動することで合焦を行う。
合焦位置に対応する撮影距離は、記憶部１８に記憶されるともに、本体制御部２３に送出される。
ＡＦセンサ３０としては、位相差検出を行うラインセンサやクロスセンサを採用することができる。
【００４６】
ＡＥ制御部２１は、測光を行ってプログラム線図に基づいて露出を決定するものであり、
図示略の測光センサ、シャッター、絞り、発光制御部１７、および操作部８と通信可能に接続されている。
ＡＥ制御部２１は、操作部８のうちシャッターボタン６が半押しされると動作を開始し、測光センサから１以上の測光ターゲットにおける測光値を取得し、プログラム線図に基づいて露出を決定する。
ＡＥ制御部２１によって、露出不足であることが判定されると、後述する照明モードに応じて、適正露出とするための放電光源部４またはストロボユニット２の発光量が算出され、発光制御部１７に送出される。
また、本実施形態のカメラ１０では、測光値が低すぎる場合には後述する「ＡＦイルミネータ」モードを行うため、ＡＥ制御部２１は、発光制御部１７に制御信号を送出して、ストロボユニット２のＬＥＤ光源部２Ｒ〜２Ｌを連続発光させるプリ発光動作を実行する。すなわち、ＡＥ制御部２１は、プリ発光下において露出を決定し、ＡＦ動作が完了するまでプリ発光を継続させる。
【００４７】
なお、ＡＥのための測光は、測光センサを用いる測光には限定されない。例えば、ＡＥ制御部２１に画像取得部１４が取得した画像データを転送し、ＡＥ制御部２１によって撮影範囲内の適宜の部位の光量を算出することによって、測光を行う構成としてもよい。
【００４８】
本体制御部２３は、操作部８、タッチパネル７ａ、および図示略のシャッターボタン６からの操作入力に応じて、カメラ１０の撮影動作を制御するもので、操作部８、タッチパネル７ａ、液晶モニタ７、信号処理部１５、記憶部１８、および発光制御部１７と通信可能に接続されている。
本体制御部２３は、操作部８またはタッチパネル７ａからＷＢモード設定の操作入力が行われると、入力されたＷＢモード設定に基づいて、信号処理部１５に制御信号を送出して、信号処理部１５のホワイトバランス調整の設定条件を設定あるいは変更する。
本体制御部２３は、操作部８またはタッチパネル７ａから照明光の色温度設定の開始の操作入力が行われると、液晶モニタ７に色温度の設定および確認を行うための色温度操作画面を表示させる。
【００４９】
図６（ａ）に、液晶モニタ７に表示される色温度操作画面一例を示す。
図６（ａ）に示す色温度操作画面２９は、色温度表示バー２５、色相／彩度表示部２４、およびＷＢモード表示部２８を備える。
色温度表示バー２５は、信号処理部１５においてホワイトバランスを取るための照明光の色温度（以下、ＷＢ設定色温度と称する。）と、放電光源部４およびストロボユニット２によって形成される照明光の色温度（以下、照明光色温度と称する）とを、表示するとともに、操作入力するためのＧＵＩ画像である。
色温度表示バー２５は、可変範囲の色温度を１次元表示する棒状画像である。本実施形態では、例えば、液晶モニタ７の上下方向に延ばされ、下端が２０００Ｋ、上端が１００００Ｋを表す１次元座標系を構成している。色温度表示バー２５上の上下方向の各位置には色温度に略対応する（正確に対応する場合を含む）カラー画像、または色温度の変化を模擬するとともにある程度透過性を有するカラー画像が表示される。
また、色温度表示バー２５上には、ＷＢ設定色温度を設定する移動カーソルであるＷＢ設定色温度カーソル２５ａと、照明光色温度を設定する照明光色温度カーソル２５ｃとが、例えば、表示場所、形状、色の違いなどによって識別可能かつ上下方向の相対位置が視認可能となるように表示されている。図６（ａ）の例では、三角形状のＷＢ設定色温度カーソル２５ａが色温度表示バー２５の右側、三角形状の照明光色温度カーソル２５ｃが色温度表示バー２５の左側に表示され、それぞれの三角形の一頂点が色温度に対応する位置を指している。
ＷＢ設定色温度カーソル２５ａ、照明光色温度カーソル２５ｃの側方には、それぞれのカーソル位置が表す色温度の数値情報を表示するＷＢ設定色温度表示部２５ｂ、照明光色温度表示部２５ｄが設けられている。
【００５０】
ＷＢ設定色温度カーソル２５ａおよび照明光色温度カーソル２５ｃは、タッチパネル７ａを用いた操作が可能である。すなわち、操作媒体がタッチパネル７ａに接触したり、接触状態からドラッグ操作されたりすることによりタッチパネル７ａが操作媒体の操作を検出すると、タッチパネル７ａは本体制御部２３に検出信号を送出する。
本体制御部２３では、この検出信号と操作画面のＧＵＩ画像との関係を解析して、ＷＢ設定色温度カーソル２５ａ（照明光色温度カーソル２５ｃ）が選択され、移動操作が行われたことを検出すると、色温度表示バー２５上で、ＷＢ設定色温度カーソル２５ａ（照明光色温度カーソル２５ｃ）を移動する。
本体制御部２３は、このカーソル移動とともに、ＷＢ設定色温度表示部２５ｂ（照明光色温度表示部２５ｄ）の表示位置をＷＢ設定色温度カーソル２５ａ（照明光色温度カーソル２５ｃ）の側方の位置に移動するとともに、ＷＢ設定色温度表示部２５ｂ（照明光色温度表示部２５ｄ）に表示された色温度の数値情報を、ＷＢ設定色温度カーソル２５ａ（照明光色温度カーソル２５ｃ）の移動位置に対応して更新する。さらに本体制御部２３は、後述する色相／彩度表示部２４の表示を更新する。
本体制御部２３は、このように、ＷＢ設定色温度カーソル２５ａ（照明光色温度カーソル２５ｃ）を移動すると、移動位置における色温度を、信号処理部１５（発光制御部１７）に、ＷＢ設定色温度（照明光色温度）に設定する制御信号を送出する。
【００５１】
色相／彩度表示部２４は、ＲＧＢ信号を、色相と彩度とに分けて２次元表示する表示空間を構成するＧＵＩ画像である。
色相／彩度表示部２４は、例えば、映像の色相を確認するベクトルスコープに用いられる表示を採用することができる。
ベクトルスコープ表示は、ＲＧＢ信号から色差信号を算出して、２次元座標系に色差信号をベクトル表示するものである。本実施形態では、例えば、ＮＴＳＣ信号の場合、次式（１）で表されるクロマ振幅Ｌと、クロマ位相角θとによって、（Ｌ，θ）のような極座標ベクトルで表される。
【００５２】
【数１】
2015106887.tif 000003
【００５３】
ここで、Ｅｙは、輝度信号Ｙの大きさであり、次式（３）で表される。式（１）〜（３）において、Ｅｒ、Ｅｇ、Ｅｂは、色温度をＲＧＢ信号で表したときの規格化されたＲ信号、Ｇ信号、Ｂ信号の大きさを表し、それぞれ０以上１以下の値を取る。
【００５４】
【数２】
2015106887.tif 000004
【００５５】
色相／彩度表示部２４では、縦軸２４ａが（Ｒ−Ｙ）／１．１４を表す座標軸であり、横軸２４ｂが（Ｂ−Ｙ）／２．０３を表す座標軸になっている。
クロマ位相角θは、横軸２４ｂの正方向側を０°として、図示反時計回りに表される。
原点Ｏを中心とする外形円２４ｃには、円周方向に適宜のメモリや補助罫線を表示するようにしてもよい。
【００５６】
このような座標系によれば、任意のＲＧＢ信号は、色相／彩度表示部２４上の点として表すことが可能である。
クロマ振幅Ｌは、彩度情報を表しており、原点Ｏから外形円２４ｃに近づくにつれて、彩度が上がっていく。原点Ｏは、無彩色（白色）を表している。
クロマ位相角θは色相情報を表している。例えば、図６（ｂ）に主要色の角度を示すと、６０．８°はマゼンタ（ＭＧ）、１０３．４°は赤（Ｒ）、１６７．１°は黄（ＹＬ）、２４０．８°は緑（Ｇ）、２８３．４°はシアン（ＣＹ）、３４７．１°は青（Ｂ）を表している。
本実施形態の色相／彩度表示部２４の外形円２４ｃ内には、任意の位置における色相と彩度とを表すカラー画像が表示される。このカラー画像は、色温度表示バー２５と同様、位置に対応する色相と彩度とに略対応する（正確に対応する場合を含む）カラー画像、または色相と彩度との変化を模擬するとともにある程度透過性を有するカラー画像が可能である。
このため、ユーザは、ベクトルスコープの座標系の意味や、色相、彩度の知識がなくても、液晶モニタ７上の表示色を見れば、各表示位置での色相、彩度を把握することが可能である。
【００５７】
色相／彩度表示部２４には、本体制御部２３によって、ＷＢ設定表示カーソル２６と、照明光色温度表示カーソル２７とが、タッチ操作可能に表示されている。
なお、図６（ａ）では一例として、ＷＢ設定表示カーソル２６、照明光色温度表示カーソル２７が円形である場合の例を示したが、ＷＢ設定表示カーソル２６、照明光色温度表示カーソル２７の形状は、円形には限定されない。例えば、正方形、十字線などの図形でもよい。
【００５８】
ＷＢ設定表示カーソル２６は、ＷＢ設定色温度表示部２５ｂに示される色温度の照明光が照射されたとして、信号処理部１５が行うホワイトバランス調整の設定値を示す。例えば、信号処理部１５が、基準白色の被写体のホワイトバランスをとるという設定の場合には、ＷＢ設定表示カーソル２６は、ＷＢ設定色温度カーソル２５ａの位置に関わらず原点Ｏの位置に表示される。
【００５９】
照明光色温度表示カーソル２７は、照明光色温度カーソル２５ｃで設定される色温度と一対一に対応している。このため、本体制御部２３は、照明光色温度カーソル２５ｃによって色温度が変更されると、変更後の色温度に対応するＲＧＢ信号から、上記式（１）、（２）に基づいて、クロマ振幅Ｌとクロマ位相角θを算出して、照明光色温度表示カーソル２７を色相／彩度表示部２４で移動させる。
逆に、ユーザが照明光色温度表示カーソル２７をタッチ操作したことが検出されると、本体制御部２３は、照明光色温度表示カーソル２７に移動先のクロマ振幅Ｌとクロマ位相角θから、照明部の色温度を算出して、色温度表示バー２５の照明光色温度カーソル２５ｃを移動する。
ここで、（Ｌ，θ）から色温度への変換は、検出されたＬ、θの値に基づいて上記式（１）、（２）、（３）からＥｒ、Ｅｇ、Ｅｂを求め、この（Ｅｒ，Ｅｇ，Ｅｂ）を色温度に変換することで行われる。
（Ｅｒ，Ｅｇ，Ｅｂ）から色温度への変換は、Ｒ、Ｇ、Ｂを表す波長分布と、白色を表すＥｒ＝Ｅｇ＝Ｅｂ＝１の色温度に応じて一意に求められる。そこで、予め計算された変換テーブルもしくは変換式を記憶部１８に記憶しておくことにより行う。
本実施形態では、白色を表す色温度はＷＢ設定温度としており、このため、色相／彩度表示部２４において、原点Ｏの色温度はＷＢ設定色温度に対応している。
照明光色温度カーソル２５ｃまたは照明光色温度表示カーソル２７によって設定された色温度は、本体制御部２３から発光制御部１７に送出される。
【００６０】
本実施形態における色相／彩度表示部２４は、後述するように、タッチ操作により、部分拡大表示が可能である。
【００６１】
ＷＢモード表示部２８は、ＷＢモード設定を表示する表示部である。例えば、「オートモード」、「曇天」モード、「晴天」モード、「蛍光灯」モード、「電球」モード、「マニュアル」モード等が表示される。「晴天」モードが設定されている場合には、図６（ａ）に示すように、ＷＢモード表示部２８に「晴天モード」のような文字が表示される。
ＷＢモード表示部２８は、このような文字表示には限定されず、文字表示に併せて各モードに対応するアイコンが表示されてもよいし、アイコンのみが表示されるようにしてもよい。
【００６２】
このように、色温度操作画面２９が表示されるとともに、タッチパネル７ａが設けられた液晶モニタ７は、信号処理部１５におけるホワイトバランス調整の設定条件と、発光制御部が制御する色温度の設定条件とが操作入力可能な操作入力部を構成している。
また、液晶モニタ７は、ホワイトバランス調整の設定条件および色温度の設定条件に関して、設定済みの情報と、操作入力部により操作入力される情報とを表示する設定情報表示部を構成している。
【００６３】
発光制御部１７は、図５に示すように、操作部８またはタッチパネル７ａを介して操作入力された照明モードの設定と、ＷＢモード設定または色温度の設定とに基づいて、放電光源部４およびストロボユニット２の発光制御を行うものである。
発光制御部１７は、本体制御部２３、ＡＥ制御部２１、発光回路２０、およびストロボユニット２と通信可能に接続されている。
【００６４】
発光制御部１７は、例えば、操作ボタン８ｃによって静止画撮影モードが選択された場合、周知の照明モードが可能であり、本体制御部２３からの制御信号によって照明モードが選択される。
周知の照明モードとしては、メーカーによって名称が異なるが、例えば、露出不足となるときに自動発光する「オート発光」モード、赤目軽減のため本発光前に予備発光する「赤目軽減」モード、強制的に発光させる「強制発光」モード、予備発光後に強制発光させる「赤目・強制発光」モード、低速のシャッター速度下で発光する「スローシンクロ」モード（以上は、ストロボ発光）、発光を禁止する「発光禁止」モード、撮影シーンが暗い場合にもＡＦ動作を行えるようにＡＦ動作中に連続発光するプリ発光を行う「ＡＦイルミネータ」モードなどを挙げることができる。
また、操作ボタン８ｃによって動画撮影モードが選択されており、ＡＥ制御部２１によって露出不足が通知されている場合には、ストロボユニット２を連続発光させる。
【００６５】
本実施形態では、照明部として、色温度を変更できない放電光源部４と、色温度が変更可能なＬＥＤ光源部２Ｒ〜２Ｌを有するストロボユニット２とを備えている。
連続発光では、ストロボユニット２のみが発光するが、ストロボ発光では、発光制御部１７によって、放電光源部４、ＬＥＤ光源部２Ｒ〜２Ｌの発光の組合せ制御が行われる。
いずれの発光でも、ＬＥＤ光源部２Ｒ〜２Ｌは、照明光の色温度が変えられる、ＬＥＤ光源部２Ｒ〜２Ｌは、放電光源部４に比べると発光時間を長くすることができるため近い被写体でも調光が可能となり適正な露出が得やすい、といった利点がある。
このため、本体制御部２３からは、照明モードの設定値、発光量の情報の他に、被写体の撮影距離の情報、タッチパネル７ａによって設定された色温度の情報が送信される。
発光制御部１７は、これらの情報に基づいて、放電光源部４とＬＥＤ光源部２Ｒ〜２Ｌとの発光量を決める。撮影距離が短い場合や照明光の色温度を調整する場合には、放電光源部４の発光量を抑制してＬＥＤ光源部２Ｒ〜２Ｌの発光量を増大させたり、あるいはＬＥＤ光源部２Ｒ〜２Ｌのみを発光させたりする。
【００６６】
ここで、発光制御部１７が行うＬＥＤ光源部２Ｒ〜２Ｌの発光量制御について、ストロボ発光の場合の例で説明する。
発光制御部１７は、ＡＥ制御部２１から送出される露出の情報と、本体制御部２３から送出される撮影距離、照明光の発光量、および色温度から、放電光源部４の発光量と、ＬＥＤ光源部２Ｒ〜２Ｌの発光量を算出する。
放電光源部４の色温度は、５４００Ｋであるため、色温度が、５４００Ｋよりも低い（高い）場合には、ＬＥＤ光源部２Ｒ〜２Ｌの色温度を５４００Ｋよりも低い（高い）適宜の色温度にして、放電光源部４とＬＥＤ光源部２Ｒ〜２Ｌとの発光量の比率を調整することで照明光全体としての色温度を調整する。
【００６７】
ＬＥＤ光源部２Ｒ〜２Ｌの色温度は、ＬＥＤドライバ１９Ｒ〜１９Ｌに、それぞれの赤色ＬＥＤ５Ｒ、緑色ＬＥＤ５Ｇ、青色ＬＥＤ５Ｂの駆動電流制御値を適宜に設定することにより、変更することができる。
ただし、赤色ＬＥＤ５Ｒ、緑色ＬＥＤ５Ｇ、青色ＬＥＤ５Ｂで発生する光の色温度は、ＬＥＤの自己発熱による波長変動の影響で駆動電流の大きさによって変化する。このため、予め、実験を行うなどして、所定の色温度で発光量を変えた場合の、各ＬＥＤの駆動電流制御値を求めて置き、発光制御部１７に変換テーブルや変換関数として記憶させておく。
本実施形態では、発光制御部１７は、下記［表１］、［表２］に例示するような変換テーブルを種々の色温度ごとに有しており、色温度と発光量とが与えられると、これらの変換テーブルを検索して、各ＬＥＤの駆動電流制御値を求めて、ＬＥＤドライバ１９Ｒ〜１９Ｌに送出する。
設定された発光量および色温度が、テーブルに存在しない場合には、駆動電流算出部２３は、予め記憶された補間式、補正式等による演算を行って、駆動電流制御値を求める。
【００６８】
【表１】
2015106887.tif 000005
【００６９】
【表２】
2015106887.tif 000006
【００７０】
［表１］は色温度が３０００Ｋの場合のテーブル、［表２］は色温度が５０００Ｋの場合のテーブルである。
［表１］、［表２］において、発光量は、各ＬＥＤ光源部のＬＥＤ出力（ｌｍ）で表しているが、これは一例であり、例えば、ガイドナンバーやｃｄ（カンデラ）など、発光量が特定可能な他の量で規定することも可能である。
駆動電流制御値は、赤色ＬＥＤ５Ｒ、緑色ＬＥＤ５Ｇ、青色ＬＥＤ５Ｂの駆動電流（ｍＡ）が、［表１］、［表２］におけるＲ欄、Ｇ欄、Ｂ欄に示されている。ただし、これは一例であり、例えば、これらの駆動電流に代えて、これらの駆動電流に相当する駆動信号値を駆動電流制御値として記憶することが可能である。
【００７１】
［表１］、［表２］に示すような駆動電流制御値のテーブルを作製するには、例えば、ＬＥＤ光源部２Ｒ〜２Ｌの各赤色ＬＥＤ５Ｒ、緑色ＬＥＤ５Ｇ、青色ＬＥＤ５Ｂの光出力の比を調整して、これらからの光が混色した照明光の色温度を色温度計によって測定する。そして、色温度を、例えば、３０００Ｋなどの所定値に調整する。このときの照明光の光出力を撮像素子によって測定する。これにより、テーブルのうち、一組の色温度、発光量に対応する一組の駆動電流制御値の組合せが得られる。
次に、各ＬＥＤの光出力の比を変えずに、光出力の大きさを変化させる。このとき、各ＬＥＤの駆動電流の変更量は、ＬＥＤごとに、駆動電流に対する光出力の関係を表す校正曲線を予め作製しておくことにより容易に求められる。
光出力を変更したら、上記と同様に、色温度計で色温度を測定する。このとき、ＬＥＤの自己発熱の影響による分光分布の変化が生じるため、色温度は所定値からずれることになる。
そこで、各ＬＥＤの駆動電流を微調整して、色温度が所定値となるように調整する。このとき、分光分布の変化が大きいＬＥＤから調整していくと、迅速な調整が行える。例えば、色温度が増大した場合には、まず赤色ＬＥＤ５Ｒの駆動電流を上げるか、緑色ＬＥＤ５Ｇの駆動電流を下げるとよい。
色温度を所定値に調整できたら、照明光の光出力を撮像素子によって測定する。これにより、テーブルのうち、所定値の色温度で、発光量を変えた他の一組の駆動電流制御値の組合せが得られる。
このようにして、１つの色温度に対して、発光量を変化させた複数組の駆動電流制御値の組合せが得たら、色温度の所定値を変更して、上記と同様の測定を繰り返す。
このようにして、例えば、［表１］、［表２］に示すようなテーブルが得られる。
【００７２】
以上、ストロボ発光の場合の発光制御の例で説明したが、連続発光の場合、放電光源部４が常に発光されない点以外は同様にして発光制御が行われる。
【００７３】
このような制御ユニット１３の装置構成は、本実施形態では、ＣＰＵ、メモリ、入出力インターフェースなどを備えるコンピュータを採用している。
【００７４】
次に、カメラ１０の動作について、照明光の色温度の設定操作を中心として説明する。
図７（ａ）、（ｂ）は、本発明の第１の実施形態の撮影装置システムにおける照明部の色温度設定の操作について説明する模式的な説明図である。図８（ａ）、（ｂ）は、本発明の第１の実施形態の撮影装置システムにおける照明部の色温度設定の部分拡大操作について説明する模式的な説明図である。
【００７５】
カメラ１０では、「オート発光モード」が設定されていると、発光制御部１７によって、ＷＢモード設定で設定済みのＷＢ設定色温度の照明光が得られるように、放電光源部４およびストロボユニット２の発光制御を行う。
カメラ１０では、操作部８の表示切り替え機能により、色温度操作画面２９を表示させることができる。
色温度操作画面２９の表示形態は、色温度操作画面２９を撮影画像に重ね合わせる「重ね合わせ表示」と、色温度操作画面２９のみを表示する「単独表示」と、色温度操作画面２９と撮影画像の表示画面とを大小の二画面に切り替え可能に表示する「マルチ画面切替表示」とを備える。
【００７６】
「重ね合わせ表示」の一例を図７（ａ）に示す。
本例では、色温度操作画面２９のうち、外形円２４ｃの内側と色温度表示バー２５のカラー画像は、輝度が低減され、ある程度の透過を有するカラー画像に切り替えられて、被写体の動画撮影画像、または試し撮りされた静止画撮影画像と重ね合わされている。
いずれの撮影画像も表示時点でのＷＢモード設定によるホワイトバランス調整が施されている。
このため、撮影者は、表示時点でのＷＢモード設定に基づく撮影画像と色温度操作画面２９とを同時に視認することができる。
被写体は、一例として、赤いリンゴＳａと黄色いバナナＳｂとが、茶色のテーブルＳｔ上の白い皿Ｓｄに載せられた静物である。本例では、撮影距離が短く接写撮影になっている。
ＷＢモード表示部２８に示されているように、ＷＢモード設定は、「オートモード」が設定されている。
【００７７】
「単独表示」は、特に図示しないが、色温度操作画面２９のみ表示である。ただし、「重ね合わせ表示」とは異なり、外形円２４ｃの内部と色温度表示バー２５とのカラー画像は、位置ごとに色相および彩度と、色温度とに略対応する（正確に対応する場合を含む）カラー画像が表示される。
このため、撮影者は、色温度操作画面２９上のカラー画像によって、照明光の色温度や、色温度に対応する色相、彩度を、それらに略対応するカラー画像で視認しつつ操作を行うことができる。
【００７８】
「マルチ画面切替表示」は、特に図示しないが、液晶モニタ７の全体にわたる第１画面と、第１画面よりも面積の小さい第２画面とを重ね合わせて表示する。その際、撮影画像と色温度操作画面２９とが、それぞれ第１画面と第２画面のいずれか一方に表示され、第１画面と第２画面とに表示される画像を切り替えることが可能である。画像の切り替えは、操作部８やタッチパネル７ａへのタッチ操作などによって行うことが可能である。
このため、撮影者は、必要に応じて、第１画面に、色温度操作画面２９または撮影画像を交互に表示することができるため、「単独表示」と同様に、照明光の色温度や、色温度に対応する色相、彩度を、それらに略対応するカラー画像で視認しつつ、適宜、撮影画像も確認しながら、円滑に操作を行うことができる。
【００７９】
以下では、「重ね合わせ表示」が行われる場合の例で説明する。
撮影者がカメラ１０を構えて被写体をフレーミングし、シャッターボタン６を半押しすると、ＡＥ制御部２１によって測光が開始されて露出が決定される。露出不足になる場合には、露出不足とならないように、放電光源部４およびストロボユニット２の発光量が決定される。
これと並行して、画像取得部１４は、撮像素子１１から画像信号を取得して信号処理部１５に送出する。信号処理部１５では、画像信号の一部または全部に画像処理を施すことで、照明光の色温度を推定する演算を行い、色温度の推定値を、本体制御部２３に送出する。また、信号処理部１５は推定された色温度でホワイトバランス調整を行う等の信号処理を行って、液晶モニタ７に動画撮影画像として表示する。
【００８０】
次に、ＡＦ制御部１６によってＡＦ動作が行われ、合焦位置が撮影距離の情報として記憶部１８に記憶されるとともに本体制御部２３に送出される。
本体制御部２３は、信号処理部１５から送出された色温度をＷＢ設定色温度と、ＡＦ制御部１６から送出された撮影距離の情報とを発光制御部１７に送出する。
発光制御部１７は、ＡＥ制御部２１から送出された露出と、本体制御部２３から送出されたＷＢ設定色温度および撮影距離の情報とから、照明光の発光制御を行う。
すなわち、放電光源部４とＬＥＤ光源部２Ｒ〜２Ｌとの発光量の比率を決定するとともに、照明光の色温度がＷＢ設定色温度となるように、ＬＥＤ光源部２Ｒ〜２Ｌの色温度を決定し、ＬＥＤドライバ１９Ｒ〜１９Ｌに対する駆動電流制御値を算出する。
【００８１】
このようにして、液晶モニタ７には、図７（ａ）に示すような撮影画像と色温度操作画面２９とが重ね合わされた表示がなされる。図７（ａ）では、ＷＢ設定色温度が５４００Ｋの場合の例を示しており、照明光色温度も５４００Ｋに合わされている。すなわち、ＷＢ設定色温度カーソル２５ａおよび照明光色温度カーソル２５ｃは、色温度表示バー２５上５４００Ｋを示し、ＷＢ設定表示カーソル２６および照明光色温度表示カーソル２７は原点Ｏに位置している。
【００８２】
撮影者は、液晶モニタ７における撮影画像を見て、ホワイトバランス調整の状態を判定することができる。例えば、現状の設定では、５４００Ｋの照明光に対して、ホワイトバランスが取られているため、例えば、赤いリンゴＳａや黄色いバナナＳｂは、やや青みを帯びた色味になる。
しかし、リンゴＳａおよびバナナＳｂが主要被写体である場合、本来の色味を強調した方が食欲をそそるような画像となり好ましいと考えられる。例えば、撮影者がこのような作画意図を持つ場合には、撮影者は、照明光色温度表示カーソル２７または照明光色温度カーソル２５ｃを移動することで、照明光色温度を変更することができる。
例えば、撮影者が色温度に関する十分な知識を備える場合、色温度表示バー２５において、照明光色温度カーソル２５ｃをタッチ操作して、照明光色温度を変更することができる。例えば、図７（ｂ）に示すように、照明光色温度カーソル２５ｃを色温度表示バー２５上で下方に移動して、例えば、３８００Ｋなどのより低い色温度に設定することができる。
【００８３】
照明光色温度カーソル２５ｃが変更されると、タッチパネル７ａから検出信号が本体制御部２３に送出される。
本体制御部２３では、サンプリングされた検出信号を、逐次解析して、色温度の情報に換算するとともに、照明光色温度カーソル２５ｃの位置、照明光色温度表示部２５ｄの数値を変更する。このとき、本体制御部２３は、入力された色温度を、ＲＧＢ信号に変換して、上記式（１）〜（３）に基づいて、クロマ振幅Ｌとクロマ位相角θを算出し、算出された座標値（Ｌ，θ）の位置に、照明光色温度表示カーソル２７を移動する。
本体制御部２３は、予め決められたタイミングで色温度の情報を、発光制御部１７に送出する。
発光制御部１７は、送出された色温度の照明光が形成できるように、発光制御部１７における放電光源部４とＬＥＤ光源部２Ｒ〜２Ｌとの発光量の比率と、ＬＥＤ光源部２Ｒ〜２Ｌの色温度とを必要に応じて変更する。ＬＥＤドライバ１９Ｒ〜１９Ｌの発光量または色温度が変更された場合には、発光制御部１７は、ＬＥＤドライバ１９Ｒ〜１９Ｌの駆動電流制御値を算出して、ＬＥＤドライバ１９Ｒ〜１９Ｌに設定する。
【００８４】
例えば、ストロボユニット２を連続発光して動画撮影を行っている場合には、ＬＥＤドライバ１９Ｒ〜１９Ｌに設定された駆動電流制御値に基づいて、連続発光が行われ、ＬＥＤ光源部２Ｒ〜２Ｌの色温度が変更される。この場合には、照明の色温度を変更した結果が液晶モニタ７で直ちに確認できる。
ストロボユニット２をストロボ発光させる場合には、シャッターボタン６が全押しして、撮影を行うことにより、設定された駆動電流制御値に基づいてストロボユニット２がストロボ発光する。
【００８５】
ストロボユニット２が連続発光されている場合には、液晶モニタ７の画像の色味の変化を確認できるため、撮影者は、必要に応じて、色温度の再設定を行うことができる。
ストロボユニット２が連続発光されていない場合には、撮影者は、適宜のタイミングで、シャッターボタン６を全押しすることにより、撮影を行うことができる。
このとき、ストロボユニット２は、照明モードに基づいて発光動作が行われる。例えば、「オート発光モード」の場合には、露出不足となる場合に、照明光色温度カーソル２５ｃで設定された色温度でストロボ発光される。
撮像素子１１によって撮影された画像は、画像取得部１４によって取得され、信号処理部１５によって信号処理された後、液晶モニタ７に表示されるとともに、記憶部１８に記憶される。
撮影者は、撮影されて液晶モニタ７に表示された画像を見て、色味を変更したい場合には、上記と同様にして、色温度を再設定して撮影を行うことができる。
【００８６】
以上、照明光色温度カーソル２５ｃを操作することにより、照明光の色温度を設定する場合の例で説明した。
ただし、本実施形態では、照明光色温度カーソル２５ｃに代えて、照明光色温度表示カーソル２７をタッチ操作することによって色温度を変更することも可能である。
以下、上記と異なる点について説明する。
【００８７】
照明光色温度表示カーソル２７によって、色温度を操作するには、撮影者が、照明光色温度表示カーソル２７に操作媒体をタッチして、色相／彩度表示部２４上でドラッグ操作する。このとき、色相／彩度表示部２４は、（Ｌ，θ）の極座標系になっているため、原点Ｏから径方向にドラッグすると、彩度が変化し、その際の操作媒体の周方向の位置が色相を表す。
例えば、撮影者が、リンゴＳａにおける赤みを強調した撮影を行いたい場合には、照明光の赤みを増やせばよいため、図７（ｂ）における色相／彩度表示部２４に実線矢印のように径方向に移動して、色味の程度を設定し、二点鎖線矢印のように、照明光色温度表示カーソル２７を周方向にドラッグすることで、周方向に沿う色相のうちから適宜の色相を選択することができる。例えば、マゼンタや赤の軸に近い色相に設定すれば、赤みを強調することができる。
色相／彩度表示部２４には、色相および彩度に対応したカラー画像が表示されているため、撮影者が、色相や彩度についての十分な知識を有していない場合でも、カラー画像の色味に基づいて、容易に色味の変化を予想することができる。このため、色温度の数値に基づいて設定を行う場合に比べて、容易に設定を行うことができる。
例えば、バナナＳｂにおける黄色みを強調した撮影を行いたい場合には、黄の色相に近い位置に移動すればよい。
【００８８】
このような色温度の調整が好ましい他の例としては、主要な被写体が人物の場合の例を挙げることができる。この場合、ホワイトバランス調整後に人物の肌色が青白くならないように、照明光の色温度を低減して赤みを強調すると、自然な感じで人物の撮影を行うことができる。
【００８９】
なお、照明光色温度表示カーソル２７を原点Ｏから遠くまでドラッグすると、彩度が大きく変化するため、撮影画像全体が、選択された色相に着色して、ホワイトバランスが大きくくずれてしまう。色味の強い照明光により人工的な照明効果を狙う撮影の場合にはこれでもよいが、ホワイトバランスによってわずかに変わる色味を補正する程度では、彩度を強くしすぎないことが必要になる。
本実施形態では、このような微量の調整を可能とするために、色相／彩度表示部２４は部分拡大表示を行う機能を有している。
【００９０】
図８（ａ）のように、照明光色温度表示カーソル２７を移動した後、さらに照明光色温度表示カーソル２７の位置を微調整する場合の操作を説明する。ただし、図８（ａ）では、撮影画像の表示は省略している（図８（ｂ）も同様）。
撮影者は、操作媒体により、部分拡大表示したい領域を点Ｐ１、Ｐ２として指定し、点Ｐ１または点Ｐ２を径方向にドラッグ操作する。
タッチパネル７ａの検出信号から、このような操作が行われたことを本体制御部２３が検知すると、本体制御部２３は、点Ｐ１、Ｐ２の位置によって決まる原点Ｏの拡大領域円２４ｄの内部領域を、外形円２４ｃが描画されている位置まで拡大表示する。
これにより、図８（ｂ）に示すように、照明光色温度表示カーソル２７、照明光色温度表示カーソル２７とカラー画像とを含めた拡大領域円２４ｄの内部領域の画像が、外形円２４ｃの範囲内に拡大表示される。
撮影者は、この状態で、照明光色温度表示カーソル２７をドラッグ操作することができるため、照明光色温度表示カーソル２７をより小さい範囲でも容易に移動することができる。
部分拡大表示が不要になったら、予め決められた操作を行って、拡大前の表示に戻すことができる。
【００９１】
このようにして、照明光色温度表示カーソル２７が変更されると、タッチパネル７ａから検出信号が本体制御部２３に送出される。
本体制御部２３では、サンプリングされた検出信号を、逐次解析して、（Ｌ，θ）の情報に換算し、（Ｌ，θ）を（Ｅｒ，Ｅｇ，Ｅｂ）に変換し、変換テーブルによって、色温度に変換する。本体制御部２３は、この色温度に基づいて、照明光色温度カーソル２５ｃの位置、照明光色温度表示部２５ｄの数値を変更する。
本体制御部２３は、予め決められたタイミングで色温度の情報を、発光制御部１７に送出する。これにより、上記と同様に、撮影の準備が行われ、同様な撮影が可能になる。
【００９２】
同様にして、例えば、ＷＢモード設定が切り替えられて、ＷＢ設定色温度が変更された場合に、ＷＢ設定色温度カーソル２５ａ、ＷＢ設定色温度表示部２５ｂに、変更された色温度が表示される。さらに、このＷＢ設定色温度に合わせて、色相／彩度表示部２４の原点Ｏが表す色温度が変更されるとともに、色相／彩度表示部２４上の照明光色温度表示カーソル２７の位置が変更される。
このため、新しいＷＢ設定色温度と、現在のストロボユニット２の照明光の色温度とズレ量が、色相および彩度の空間においてどのようなに相違しているかを、照明光色温度表示カーソル２７の位置を見るだけでただちに把握することができる。
撮影者は、この変化を見て照明光色温度表示カーソル２７を操作することにより，照明光の色温度を上記と同様にして再設定することができる。
【００９３】
以上に説明したように、カメラ１０よれば、ホワイトバランス調整の設定情報と照明光の色温度の情報とを表示する設定情報表示部と、ホワイトバランス調整の設定情報および色温度の情報の少なくともいずれかを操作入力する操作入力部とを備えるため、照明部で発生する照明光の色温度を容易に設定および変更することができる。
【００９４】
また色温度を容易に設定することができるため、ホワイトバランスによって、本来の色味が補正されてしまう被写体の色味を強調するような色味を有する照明光を容易に設定することができる。このため、照明における色温度の知識が豊富とは言えない撮影者でも、容易に、被写体の色味の特徴を引き立たせた撮影を行うことができる。
また、色相／彩度表示部２４によって、照明光における色相と彩度とを容易に変更することができるため、照明光の色味を作画意図に応じて、容易かつ正確に変更することができるため、種々の作画意図に応じた撮影を容易に行うことができる。
【００９５】
［第２の実施形態］
次に、本発明の第２の実施形態の撮影装置システムについて説明する。
図９は、本発明の第２の実施形態の撮影装置システムの制御ユニットの機能構成を示す機能ブロック図である。図１０は、本発明の第２の実施形態の撮影装置システムの第２の表示デバイスの模式的な正面図である。
【００９６】
図９に示すように、本実施形態のカメラシステム１０Ａ（撮影装置システム）は、上記第１の実施形態のカメラ１０におけるカメラ本体１に代えて、カメラ本体１Ａ（撮影装置本体部）を備え、図９に示すように、携帯電話４０（第２の表示デバイス）を追加したものである。
以下、上記第１の実施形態と異なる点を中心に説明する。
【００９７】
カメラ本体１Ａは、図９に示すように、上記第１の実施形態のカメラ本体１の制御ユニット１３に代えて、制御ユニット１３Ａを備える。
制御ユニット１３Ａは、制御ユニット１３における発光制御部１７に代えて、発光制御部１７Ａを備え、発光制御部１７Ａおよび本体制御部２３と通信可能に接続され、カメラ本体１Ａの外部との無線通信を行う通信部４３を追加したものである。
【００９８】
発光制御部１７Ａは、本体制御部２３からの制御信号によって制御されるとともに、通信部４３を介して受信する外部機器からの制御信号によっても動作が制御される点が、上記第１の実施形態の発光制御部１７と異なる。
通信部４３の無線通信方式は、特に限定されない。例えば、携帯電話、個人情報端末、タッチパネルを有する携帯電話、情報処理機器、携帯型コンピュータなどに装備されている無線通信方式は、すべて採用することができる。
本実施形態では、携帯電話４０との通信を行うため、携帯電話４０と通信可能な無線通信方式が採用されている。
通信部４３によって送受信される情報は、制御ユニット１３の内部で送受信される制御信号、データのいずれも可能である。このため、本体制御部２３と発光制御部１７との間に送受信される制御信号やデータは、適宜のコード化を施して、すべて送受信することが可能である。
また、通信部４３は、本体制御部２３とも通信可能に接続されているため、本体制御部２３を介して、記憶部１８に記憶された情報や画像データを携帯電話４０に送信することも可能である。
【００９９】
携帯電話４０は、図１０に示すように、略直方体状の外形を有する筐体４１と、筐体４１の厚さ方向の一方の表面に設けられた表示部４２（撮影画像表示部、設定情報表示部、第２の表示デバイス、操作入力部）とを備える。
表示部４２は、例えば、液晶パネルなどの表示パネルにタッチパネルが積層されて構成され、表示パネルに表示したＧＵＩ操作画面と、タッチパネルに対するタッチ操作とを組み合わせた操作入力が可能である。
表示部４２に表示されるＧＵＩ操作画面は、本体制御部２３が液晶モニタ７に表示する色温度操作画面２９と同様のものが、携帯電話４０の動作を制御するため携帯電話４０に内蔵されたコンピュータで実行される制御プログラムにより生成されるようになっている。
また、図示や省略するが、筐体４１の内部には、例えば、通話やデータ通信を行うための通信網に接続する無線通信を行うアンテナ等が内蔵されている。
このアンテナは、通信の目的に応じて１以上の通信方式に対応したものが内蔵されており、少なくとも１つの通信方式は、カメラ本体１Ａの通信部４３と通信可能になっている。
【０１００】
このような構成により、携帯電話４０は、図１０に示すように、表示部４２に、上記第１の実施形態と同様な色温度操作画面２９を表示することができ、カメラ本体１Ａにおける液晶モニタ７における操作画面とまったく同様のタッチ操作が可能になっている。
携帯電話４０は、通信部４３との通信を確立すると、通信部４３を介して、本体制御部２３によって発光制御部１７Ａに設定済みの情報を発光制御部１７Ａから取得して、この取得情報に基づいて、表示部４２の表示を初期化する。
その後、撮影者が、適宜の操作媒体によって、表示部４２に表示された色温度操作画面２９のＷＢ設定色温度カーソル２５ａ、照明光色温度カーソル２５ｃ、ＷＢ設定表示カーソル２６、照明光色温度表示カーソル２７を操作すると、この操作に応じたＷＢ設定色温度および照明光色温度の設定と、ＷＢ設定色温度表示部２５ｂ、照明光色温度表示部２５ｄへの表示とが可能になる。
また、必要に応じて、カメラ本体１Ａによる撮影画像も、表示することができる。
【０１０１】
このように、カメラシステム１０Ａでは、カメラ本体１Ａにおける液晶モニタ７と、携帯電話４０の表示部４２とは、それぞれ、撮影画像表示部、または設定情報表示部として機能することが可能である。設定情報表示部として機能する場合には、操作入力部にもなっている。
このため、液晶モニタ７は、撮影装置本体部であるカメラ本体１Ａに設けられた第１の表示デバイスを構成し、表示部４２は、カメラ本体１Ａと無線通信可能に設けられた第２の表示デバイスを構成している。
色温度操作画面２９と撮影画像とは、それぞれを第１の表示デバイスおよび第２の表示デバイスのいずれか一方に表示するようにしてもよいし、第１の表示デバイスおよび第２の表示デバイスの両方に表示するようにしてもよく、これらの表示形態を変更できるようにしてもよい。
表示デバイスを分ける場合には、撮影画像の表示用に表示特性が調整されている液晶モニタ７に撮影画像を表示し、カメラ本体１Ａに触れることなく種々の操作が可能となる表示部４２に色温度操作画面２９を表示することがより好ましい。
【０１０２】
本実施形態のカメラシステム１０Ａによれば、カメラ本体１Ａの液晶モニタ７および携帯電話４０の表示部４２の少なくとも一方から、上記第１の実施形態と同様にして、照明部で発生する照明光の色温度を容易に設定および変更することができる。
携帯電話４０から操作入力を行えるようにすれば、撮影を行うためのカメラ本体１Ａの姿勢を変えることなく、操作者の見やすい姿勢で、携帯電話４０を保持して操作入力を行うことができるため、種々の撮影アングルにおいても操作入力を容易に行うことができる。
また、操作者は、カメラ本体１Ａの近傍から離れることができるため、色温度の操作性が向上する。また、カメラ本体１Ａを構える撮影者とは、別の操作者によって、画像を確認したり、色温度の設定操作を行ったりすることができる。
【０１０３】
なお、上記の各実施形態の説明では、撮影装置本体部に放電光源部が設けられ、撮影装置本体部に着脱可能なストロボユニット２が、ＬＥＤ光源部２Ｒ〜２Ｌのみを有する場合の例で説明したが、撮影装置システムとして、色温度が変更可能な照明部を有していれば、照明部の構成は、これには限定されない。
例えば、撮影装置システムにおいて、放電光源部は、ストロボユニット２に設けてもよいし、削除することも可能である。また、装置本体部にＬＥＤ光源部を設けることも可能である。
【０１０４】
上記の各実施形態の説明では、ストロボユニット２が撮影装置本体部と別体に設けられ、撮影装置本体部と着脱可能になっている場合の例で説明したが、色温度が変更可能な照明部は、撮影装置本体部に内蔵された構成とすることも可能である。
【０１０５】
上記の各実施形態の説明では、色温度操作画面２９の操作をタッチ操作により行う場合の例で説明したが、例えば、操作部８に含まれる十字ボタン８ｂ、選択ボタン８ｄなどによって、ＧＵＩを操作することによって、操作入力を行うことも可能である。
【０１０６】
上記の各実施形態の説明では、色相／彩度表示部２４や色温度表示バー２５などのＧＵＩを操作することによって操作入力を行う場合の例で説明したが、例えば、色温度の数値を選択したり、直接入力したりするようにしてもよい。
【０１０７】
上記の各実施形態の説明では、「マルチ画面切替表示」を行う場合に、色温度操作画面２９が、そのままの構成で第１画面と第２画面との間で切り替えて表示されるものとして説明したが、第２画面の大きさによっては、主要な情報のみを簡略化して表示することも可能である。簡略表示の仕方は、特に限定されない。
例えば、色相／彩度表示部２４は縮小されると照明光色温度表示カーソル２７の位置が分かりづらくなるため、第１画面に切り替えられたら、照明光色温度表示カーソル２７が位置する適宜の範囲よりわずかに大きい範囲まで、自動的に部分拡大表示することが可能である。
また、操作をする場合には第１画面に切り替えることとし、簡略化された画面は、主要な情報の表示のみを行いこととし、操作入力ができない設定にすることも可能である。また、表示する情報はグラフィカルな情報には限定されず、数値情報で代用するようにしてもよい。
【０１０８】
上記の各実施形態の説明では、色相／彩度表示部２４が、色相情報をクロマ位相角θ、彩度情報をクロマ振幅Ｌで表して、極座標表示した場合の例で説明したが、色相情報、彩度情報の表示形態はこれには限定されない。
例えば、彩度情報を縦軸、色相情報を横軸にとった２次元の表示空間に表示することも可能である。
【０１０９】
上記の各実施形態の説明では、ＷＢ設定色温度カーソル２５ａがＷＢ設定色温度を表示し、ＷＢ設定表示カーソル２６は、これに対応して色相／彩度表示部２４に表示されるため、常に原点Ｏに位置するようにした場合の例で説明した。
ただし、ホワイトバランスを補正する操作を行いたいユーザのために、ホワイトバランス補正のマニュアル設定モードを設ける場合には、ＷＢ設定表示カーソル２６を移動させることで、ホワイトバランス補正の入力が行えるようにすることが可能である。この場合、ＷＢ設定表示カーソル２６を移動した位置における色相と彩度に対応する色味が、白色の被写体に対するホワイトバランス補正後の色味になる。
【０１１０】
上記の第２の実施形態の説明では、カメラ本体１Ａから携帯電話４０に撮影した画像を送信できる場合の例で説明したが、携帯電話４０を設定情報表示部および操作入力部のみに用いる場合には、撮影画像を送信できない構成としてもよい。この場合、通信の情報量が低減されるため、通信部４３の通信方式として、通信速度が遅い通信方式を採用することも可能になる。
【０１１１】
また、上記の各実施形態の説明では、撮影装置が１眼レフデジタルカメラの場合の例で説明したが、撮影装置本体部としては、被写体を撮影する装置であれば、特に限定されない。例えば、コンパクトデジタルカメラやミラーレス一眼カメラでもよいし、ビデオカメラでもよい。
【０１１２】
また、上記の各実施形態の説明では、ＬＥＤ光源部のＬＥＤが、赤色ＬＥＤ５Ｒ、緑色ＬＥＤ５Ｇ、青色ＬＥＤ５Ｂの組み合わせからなる場合の例で説明したが、ＬＥＤ光源部は、分光分布の異なる複数のものを組み合わせていればよい。このため、ＬＥＤは赤色、緑色、青色の組み合わせには限定されない。例えば、分光分布が異なる２種類のＬＥＤで構成してもよいし、４種類以上のＬＥＤで構成してもよい。
また、例えば、青色ＬＥＤと厚さの異なる蛍光材料とを組み合わせて、色温度を変化させた複数の白色ＬＥＤの組み合わせを採用することも可能である。
【０１１３】
また、上記に説明したすべての構成要素は、本発明の技術的思想の範囲で適宜組み合わせたり、削除したりして実施することができる。
【符号の説明】
【０１１４】
１、１Ａ  カメラ本体（撮影装置本体部）
２  ストロボユニット（照明部）
２Ｒ、２Ｍ、２Ｌ  ＬＥＤ光源部
３  撮影レンズ部
４  放電光源部
５ａ、３５ａ  発光素子部
６  シャッターボタン
７  液晶モニタ（撮影画像表示部、設定情報表示部、第１の表示デバイス、操作入力部）
７ａ  タッチパネル
８  操作部
１０  カメラ（撮影装置システム）
１０Ａ  カメラシステム（撮影装置システム）
１１  撮像素子
１３、１３Ａ  制御ユニット
１５  信号処理部
１７、１７Ａ  発光制御部
１９Ｒ、１９Ｍ、１９Ｌ  ＬＥＤドライバ
２３  本体制御部
２４  色相／彩度表示部
２５  色温度表示バー
２５ａ  ＷＢ設定色温度カーソル
２５ｂ  ＷＢ設定色温度表示部
２５ｃ  照明光色温度カーソル
２５ｄ  照明光色温度表示部
２６  ＷＢ設定表示カーソル
２７  照明光色温度表示カーソル
２８  ＷＢモード表示部
２９  色温度操作画面
４０  携帯電話
４２  表示部（撮影画像表示部、設定情報表示部、第２の表示デバイス、操作入力部）
４３  通信部
Ｌ  クロマ振幅
Ｏ  原点
θ  クロマ位相角
【図１】
2015106887.tif 000007
【図２】
2015106887.tif 000008
【図３】
2015106887.tif 000009
【図４】
2015106887.tif 000010
【図５】
2015106887.tif 000011
【図６】
2015106887.tif 000012
【図７】
2015106887.tif 000013
【図８】
2015106887.tif 000014
【図９】
2015106887.tif 000015
【図１０】
2015106887.tif 000016